(57)【要約】【課題】携帯用水道水の塩素除去容器の提供。【解決手段】一種の携帯用水道水の塩素除去容器であり、容器に組み合わせられるフィルタープレート本体を設ける。上述したフィルタープレート本体には高密度のベース部が設けられ、ベース部の上表面には一定の高さになっている中空の突出し部が設けられ、その中空内部に濾過材が設けられている。また、上述の容器には、少なくとも水の注入用に使われる上方注入口、及びフィルタープレートと密接する下方開き口がある。上述したフィルタープレート本体には複数の穴が設けられており、水が通過して上述の中空内部に進入できるようになっているため、濾過材が良く掻き混ぜられ、最適の塩素除去効果を実現できる。【選択図】図１
0003128688.tif 000002
【実用新案登録請求の範囲】
【請求項１】
容器に組み合わせるフィルタープレート本体を設け、上述したフィルタープレート本体には密度の高いベース部があり、このベース部の表面に中空の突出し部が設けられ、その中空内部に濾過材が設置され、上述のフィルタープレート本体には多数の穴が設けられ、水が通過して中空内部に入ることができ、上述の容器には少なくとも一つ、水の注入ができる上方注入口及び上述のフィルタープレート本体と密接する下方開き口があることを特徴とする携帯用水道水の塩素除去容器。
【請求項２】
上述したフィルタープレート本体には、傾斜する円錐状の表面が連結する中央の内部穴が設けられ、この内部穴の内壁には多数の縦方向穴を設け、そして、フィルタープレート本体の頂上には多数の横方向穴を設け、水はこれらの縦方向穴と横方向穴を通過してフィルタープレート本体の中空内部に入ることができることを特徴とする請求項１記載の携帯用水道水の塩素除去容器。
【請求項３】
上述したフィルタープレート本体の頂上には円弧状のカバーが設けられ、頂上には多数の間隔を置いた放射状の進水穴が設けられていることを特徴とする請求項１記載の携帯用水道水の塩素除去容器。
【請求項４】
上述したフィルタープレート本体のベース部と中空の突出し部が接合した箇所に漏れ防止ワッシャーが設けられ、上述の容器の下方開き口と嵌め合って密接させることを特徴とする請求項１記載の携帯用水道水の塩素除去容器。
【請求項５】
上述したフィルタープレート本体の頂上には更に嵌め部を設け、中空の突出し部と対応する側を定位して嵌めさせることを特徴とする請求項１記載の携帯用水道水の塩素除去容器。
【請求項６】
上述した容器の内壁周縁に内部ストッパーが設けられ、フィルタープレート本体の固定に供されることを特徴とする請求項１記載の携帯用水道水の塩素除去容器。
【請求項７】
上述した容器は底部に近い外周にブロックを設け、フィルタープレート本体のベース部に挿入溝と漏れ防止ワッシャーを含むリング部を設け、そして、上述のブロックと対応する進出口と嵌め溝を設置し、そして、上述の容器はブロックで進出口に照準して挿入され、回転して嵌め溝と噛み合うことにより、両方を固定させることを特徴とする請求項１記載の携帯用水道水の塩素除去容器。
【考案の詳細な説明】
【技術分野】
【０００１】
本考案は一種の携帯用水道水の塩素除去容器であり、特に、浴室と台所でうがい、洗顔、野菜と果物の洗浄に使われる水道水の塩素除去容器を指している。
【背景技術】
【０００２】
通常に家庭内で使用される飲用水や洗浄用水は水道水であり、水道水を使用する際の衛生と安全性を守るために、水道に塩素除去用の大型や小型の浄水器を取り付けるのは一般である。大型浄水器は平面や壁に取り付けられるが、小型浄水器は台所の流しにある蛇口、または浴室の洗面所の蛇口に取り付けられる。
【０００３】
但し、大型浄水器は価格が高い上に、取り付けとメンテナンスが複雑で不便という欠点がある。小型浄水器は、蛇口に取り付けられるため、体積には制限があるし、流しと洗面所の使用スペースにも影響を与えてしまう。
【考案の開示】
【考案が解決しようとする課題】
【０００４】
本考案の主要目的は、携帯用水道水の塩素除去容器を提供し、関連設備の使用スペースを影響しないうちに、一般用水、そして、食べ物、野菜や果物の洗浄用水に対して塩素除去を処理することにある。
【０００５】
上述の目的を達成するためには、本考案は容器に組み合わせるフィルタープレート本体が設けられている。上述したフィルタープレート本体の底には、高密度のベース部があり、ベース部の上表面には一定の高さになっている中空の突出し部が設けられ、その中空内部に濾過材が設けられている。フィルタープレート本体には多数の穴が設けられており、水が通過して上述の中空内部に進入できる。上述した容器には、少なくとも水の注入に利用される一つの上方注入口、及び上述のフィルタープレートと密接する下方開き口が設けられている。
【０００６】
実行できる実施例において、上述のフィルタープレートには傾斜する円錐表面と接合している小径の中央内部穴が設置されている。この内部穴の内壁には多数の縦方向穴があり、フィルタープレート本体の頂上には多数の横方向穴がる。これにより、水はこれらの縦方向穴と横方向穴を通過してフィルタープレートの中空内部に入ることができる。
【０００７】
上述のフィルタープレート本体のベース部と中空の突出し部が接合するところに漏れ防止ワッシャーがあり、容器の下方開き口と密接させる。
【０００８】
もう一つの実行できる実施例では、上述の容器が底部に近いところに、ブロックが設けられ、フィルタープレート本体がベース部に、挿入溝と漏れ防止ワッシャーを含めているリング部、そして、上述のブロックと対応する進出口と嵌め溝がある。上述の容器はブロックで進出口に照準して挿入し、回転して嵌め溝に取り付けて両方を定位させて連結させる。
【０００９】
また一つの実行できる実施例では、上述のフィルタープレート本体の頂上は円弧状カバーになっており、そこには間隔を置いて多数の放射状に分布された進水穴を設ける。
【課題を解決するための手段】
【００１０】
請求項１の考案は、容器に組み合わせるフィルタープレート本体を設け、上述したフィルタープレート本体には密度の高いベース部があり、このベース部の表面に中空の突出し部が設けられ、その中空内部に濾過材が設置され、上述のフィルタープレート本体には多数の穴が設けられ、水が通過して中空内部に入ることができ、上述の容器には少なくとも一つ、水の注入ができる上方注入口及び上述のフィルタープレート本体と密接する下方開き口があることを特徴とする携帯用水道水の塩素除去容器としている。
請求項２の考案は、上述したフィルタープレート本体には、傾斜する円錐状の表面が連結する中央の内部穴が設けられ、この内部穴の内壁には多数の縦方向穴を設け、そして、フィルタープレート本体の頂上には多数の横方向穴を設け、水はこれらの縦方向穴と横方向穴を通過してフィルタープレート本体の中空内部に入ることができることを特徴とする請求項１記載の携帯用水道水の塩素除去容器としている。
請求項３の考案は、上述したフィルタープレート本体の頂上には円弧状のカバーが設けられ、頂上には多数の間隔を置いた放射状の進水穴が設けられていることを特徴とする請求項１記載の携帯用水道水の塩素除去容器としている。
請求項４の考案は、上述したフィルタープレート本体のベース部と中空の突出し部が接合した箇所に漏れ防止ワッシャーが設けられ、上述の容器の下方開き口と嵌め合って密接させることを特徴とする請求項１記載の携帯用水道水の塩素除去容器としている。
請求項５の考案は、上述したフィルタープレート本体の頂上には更に嵌め部を設け、中空の突出し部と対応する側を定位して嵌めさせることを特徴とする請求項１記載の携帯用水道水の塩素除去容器としている。
請求項６の考案は、上述した容器の内壁周縁に内部ストッパーが設けられ、フィルタープレート本体の固定に供されることを特徴とする請求項１記載の携帯用水道水の塩素除去容器としている。
請求項７の考案は、上述した容器は底部に近い外周にブロックを設け、フィルタープレート本体のベース部に挿入溝と漏れ防止ワッシャーを含むリング部を設け、そして、上述のブロックと対応する進出口と嵌め溝を設置し、そして、上述の容器はブロックで進出口に照準して挿入され、回転して嵌め溝と噛み合うことにより、両方を固定させることを特徴とする請求項１記載の携帯用水道水の塩素除去容器としている。
【考案の効果】
【００１１】
本考案は携帯用水道水の塩素除去容器を成しており、容器内の水が設備の器具内の水に注入されれば、塩素除去や塩素洗浄を徹底的に行うことができる。しかも、容易、便利と関連設備の操作スペースを影響しないなどの特長がある。
【考案を実施するための最良の形態】
【００１２】
まずは図１から図３を参照すること。これらの図示での実行できる実施例では、本考案はフィルタープレート本体(２０)、及びこのフィルタープレート本体(２０)と組み合わせられる容器(１０)を含めている。
【００１３】
上述のフィルタープレート本体(２０)には、高密度のベース部(２１)がある。このベース部(２１)の表面に特定の高さを持つ中空の突出し部(２２)が設けられており、中空内部(２８)に亜硫酸カルシウムのような粒状の濾過材(３０)を放置することができる。フィルタープレート本体(２０)には多数の穴が設けられ、水が通過して中空内部(２８)に進入することができる。
【００１４】
上述の容器(１０)には少なくとも水の注入に使われる一つの上方注入口(１１)、及びフィルタープレート本体(２０)と密接する下方開き口(１２)が設置されている。
【００１５】
この実行できる実施例では、上述のフィルター本体(２０)に、傾斜する円錐表面が連結する小径の中央の内部穴(２３)が設けられている。これらの内部穴(２３)の内壁には多数の縦方向穴(２６)がある。頂上(２４)には多数の横方向穴(２５)を設け、水はこれらの縦方向穴(２６)と横方向穴(２５)を通過してフィルタープレート本体(２０)の中空内部(２８)に入ることができる。同時に、この実施例では、フィルタープレート本体(２０)のベース部(２１)と中空の突出し部(２８)との接合箇所に、漏れ防止ワッシャー(２７)があるため、上述の嵌った後の容器(１０)の下方開き口(１２)と密接になる。容器(１０)はこの接合の状態で、内壁に内部ストッパー(１３)を設けることができ、フィルタープレート本体(２０)を固定させる。
【００１６】
図４に示されるように、本考案は上述の構造によって、水が容器(１０)内に注入され、縦方向穴(２６)と横方向穴(２５)を通過してフィルタープレート本体(２０)の中空内部(２８)に入り、濾過材(３０)をよく掻き混ぜて最適の塩素除去効果を実現する。
【００１７】
続いて図５、図６を参照すること。この実施例では、上述の容器(１０)は底部の外周にブロック(１４)が設けられている。フィルタープレート本体(２０１)はそのベース部(２１)に挿入溝(２９３)を含むリング部(２９)が設けられ、そして、ブロック(１４)と対応する進出口(２９１)及び嵌め溝(２９２)が設置されている。これで容器(１０)はブロック(１４)で進出口(２９１)に照準して挿入でき、回転して嵌め溝(２９２)に噛み合い、両方を固定して接合させる。この実施例では、漏れ防止ワッシャー(２７)は予め設けられたリング部(２９)の挿入溝(２９３)の底部に設置されても良い。
【００１８】
図７では、もう一つの実行できる実施例を示している。上述のフィルタープレート本体(２０２)の頂上(２４)及び傾斜する円錐表面には更にリング状の嵌め部(２４１)、(２４２)が設けられ、中空の突出し部(２２)と中央の内部穴(２３)との対応している開き口を定位して嵌めさせる。
【００１９】
図８、図９は本考案のまた一つの実行できる実施例を示している。ここでは、フィルタープレート本体(２０３)の頂上(２４)を円弧状カバーに設け、そして頂上(２４)に間隔を置いて放射状になっている多数の進水穴(２４３)を設置する。
【図面の簡単な説明】
【００２０】
【図１】本考案の好ましい実施例の組立断面図である。
【図２】図１のフィルタープレート本体の立体図である。
【図３】図２の断面図である。
【図４】図１の使用状態のイメージ図である。
【図５】本考案のもう一つの実施例における立体分解図である。
【図６】図５の一部の構成部材の組立断面図である。
【図７】本考案のまた一つの実施例の組立断面である。
【図８】本考案のもう一つのフィルタープレート本体立体図である。
【図９】図８の組立容器の断面図である。
【符号の説明】
【００２１】
１０  容器
１１  上方注入口
１２  下方開き口
１３  内部ストッパー
１４  ブロック
２０  フィルタープレート
２１  ベース部
２２  突出し部
２３  内部穴
２４  頂上
２５  横方向穴
２６  縦方向穴
２７  漏れ防止ワッシャー
２８  中空内部
２９  リング部
３０  濾過材
２０１、２０２、２０３  フィルタープレート本体
２４１、２４２  嵌め部
２４３  進水穴
２９１  進出口
２９２  嵌め溝
２９３  挿入溝
【図１】
0003128688.tif 000003
【図２】
0003128688.tif 000004
【図３】
0003128688.tif 000005
【図４】
0003128688.tif 000006
【図５】
0003128688.tif 000007
【図６】
0003128688.tif 000008
【図７】
0003128688.tif 000009
【図８】
0003128688.tif 000010
【図９】
0003128688.tif 000011